(57)【要約】【課題】Ｒ巾木本体部と壁面部及び床面部との間に、ほこり，食品等の飛散物とともに水が入り込むおそれのないＲ巾木の製造方法とＲ巾木を提供する。【解決手段】Ｒ巾木本体部３を壁面部Ｗ及び床面部Ｆと所定の間隔を隔てて取付け、上記Ｒ巾木本体部３の下部と床面部との間にライナー１３を設置し、Ｒ巾木本体部３と壁面部Ｗとの間に充填材１５を注入ものである。上記充填材１５としては、石膏や発泡樹脂材等の液状で充填後に固化する材料が使用される。これにより、Ｒ巾木本体部３と壁面部Ｗ及び床面部Ｆとの間がその形状に合わせて隙間なく充填材１５で覆われる。【選択図】図１
2006177035.tif 000002
【特許請求の範囲】
【請求項１】
Ｒ巾木本体部を壁面部及び床面部と所定の間隔を隔てて取付け、上記Ｒ巾木本体部の下部と床面部との間にライナーを設置し、Ｒ巾木本体部と壁面部との間に充填材を注入したことを特徴とするＲ巾木の製造方法。
【請求項２】
壁面部及び床面部と所定の間隔を隔てて取付けられるＲ巾木本体部と、上記Ｒ巾木本体部の下部と床面部との間に設置されその間を閉塞するライナーと，上記Ｒ巾木本体部と壁面部との間に注入されて充填された充填材と、を具備したことを特徴とするＲ巾木。
【発明の詳細な説明】
【技術分野】
【０００１】
本発明は壁面部と床面部が交差する最下部に使用されるＲ巾木の製造方法とＲ巾木に関する。
【背景技術】
【０００２】
例えば、水産製造施設等においては、室内の壁面部と床面部が交差する最下部にＲ巾木が使用されている。従来のＲ巾木は、Ｒ巾木本体部をライナー部材を介して壁面部及び床面部と所定の間隔を隔てて取付け、上記Ｒ巾木本体部の上部と壁面部との間にシリコン樹脂製のシール材を上面が傾斜面となるように塗布し、また、Ｒ巾木本体部の下部と床面部との間にシリコン樹脂製のシール材を側面が傾斜面となるように塗布したものである。
【発明の開示】
【発明が解決しようとする課題】
【０００３】
上記従来の構成によると次のような問題があった。まず、Ｒ巾木本体部の上端面部分にほこりや食品等の飛散物が付着する。また、これらを清掃するために水で洗浄が行われる。この時、ほこりや食品等の飛散物が混じった水がシール材の劣化等によりＲ巾木本体部と壁面部及び床面部の間の隙間に入り込み、水たまりとなってカビが発生するという問題があった。
【０００４】
本発明はこのような点に基づいてなされたものでその目的とするところは、Ｒ巾木本体部と壁面部及び床面部との間に、ほこり，食品等の飛散物とともに水が入り込むおそれのないＲ巾木の製造方法とＲ巾木を提供することにある。
【課題を解決するための手段】
【０００５】
上記目的を達成するべく本発明によるＲ巾木の製造方法は、Ｒ巾木本体部を壁面部及び床面部と所定の間隔を隔てて取付け、上記Ｒ巾木本体部の下部と床面部との間にライナーを設置し、Ｒ巾木本体部と壁面部との間に充填材を注入したことを特徴とするものである。上記充填材としては、石膏や発泡樹脂材等の液状で充填後に固化する材料が使用される。
【０００６】
また、本発明によるＲ巾木は、壁面部及び床面部と所定の間隔を隔てて取付けられるＲ巾木本体部と、上記Ｒ巾木本体部の下部と床面部との間に設置されその間を閉塞するライナーと、上記Ｒ巾木本体部と壁面部との間に注入されて充填された充填材と、を具備したことを特徴とするものである。
【発明の効果】
【０００７】
本発明のＲ巾木の製造方法とＲ巾木によると、Ｒ巾木本体部と壁面部及び床面部との間がその形状に合わせて隙間なく充填材で覆われるので、たとえシール材が劣化してもＲ巾木と壁面部及び床面部の間に水や食品等の飛散物が入り込むおそれがなくなり、衛生上好ましい状態を長期にわたり維持することができる。また、本発明のＲ巾木の製造方法によると、上記の性能を有するＲ巾木を容易に製造することができる。
【発明を実施するための最良の形態】
【０００８】
以下、図１乃至図３を参照して本発明の第１の実施の形態を説明する。図１は本発明に係るＲ巾木１の斜視図、図２はＲ巾木１の断面図、図３はＲ巾木１の平面図、図４は製造工程の説明図である。
【０００９】
本実施の形態の場合には、充填材として発泡樹脂液を注入して発泡させることにより、Ｒ巾木本体部３と壁面部Ｗとの間に充填材を充填するものである。まず、Ｒ巾木本体部３があり、このＲ巾木本体部３はステンレス板を断面略Ｊ字状に曲げ加工して製造した長尺材である。このＲ巾木本体部３を壁面部Ｗと床面部Ｆとの最下部に、壁面部Ｗ及び床面部Ｆと所定の間隔を隔てて設置する。このＲ巾木本体部３の上部には折り返し部５が形成されている。壁面部Ｗには断面略Ｚ字状に曲げ加工して製造した長尺材の取付金具７を木ネジ９により固定する。取付金具７には間隔的に充填材の注入口１１が形成されている。上記Ｒ巾木本体部３の折り返し部５を取付金具７の上端に掛止させる。Ｒ巾木本体部３の下部は床面部Ｆとの間にライナー１３としてのゴム材を介装させる。また、Ｒ巾木本体部３の下部と床面部Ｆとの間にシリコン樹脂製のシール材１９を側面が傾斜面となるように塗布させる。
【００１０】
こうして取り付けられたＲ巾木本体部３と壁面部Ｗ及び床面部Ｆとの間に、充填材１５が充填される。充填材１５としては、各種の発泡樹脂材が使用でき、例えば、発泡ポリウレタンが好適に使用できる。具体的には、ウレタン樹脂液と発泡液を混合させたものを取付金具７の充填材の注入口１１から注入する。Ｒ巾木本体部３の下部は床面部Ｆとの間にライナー１３としてのゴム材が介装されているので、注入された液は即座に発泡して発泡ポリウレタンとなり、Ｒ巾木本体部３と壁面部Ｗとの間に充填されていく。それが、Ｒ巾木１と壁面部Ｗ及び床面部Ｆの間に水や食品等の飛散物が入り込むことを防止する充填材として機能する部分になる。
【００１１】
この時、液状の充填材１５を注入して充填させていくようにしたから、壁面部Ｗや床面部Ｆに不整な凹凸がある場合でも、充填材１５はこの形状に追従して充填されるので、隙間を完全になくすことができる。
【００１２】
次に、上記充填材１５の充填が完了したＲ巾木本体部３の上部と壁面部Ｗとの間にシリコン樹脂製のシール材１７を上面が傾斜面となるように塗布させる。また、隣接するＲ巾木本体部３の間の目地部にもシリコン樹脂製のシール材２１を塗布して、製造（施工）を完了する。
【００１３】
以上本実施の形態によると次のような効果を奏することができる。まず、Ｒ巾木本体部３と壁面部Ｗ及び床面部Ｆとの間がその形状に合わせて隙間なく充填材１５で覆われるので、たとえシール材１７，１９が劣化してもＲ巾木１と壁面部Ｗ及び床面部Ｆの間に水や食品等の飛散物が入り込むおそれがない。発泡ポリウレタンは、固化した後は、撥水性を有するから、水などが侵入した場合にも進入を阻止して、カビなどの発生を防止する。よって、水産製造施設等において、室内を衛生上好ましい状態に長期にわたり維持することができる。
【００１４】
また、本発明のＲ巾木の製造方法によると、上記の性能を有するＲ巾木１を容易に製造することができる。すなわち、Ｒ巾木本体部３と壁面部Ｗ及び床面部Ｆとの間に液状の充填材１５を注入して発泡させるだけで、ほとんど瞬時に充填材１５の充填作業を完了させることができるからである。また、壁面部や床面部Ｆに不整な凹凸がある場合でも、充填材１５はこの形状に追従して充填されるので、隙間を完全になくすことも容易にできる。  
【００１５】
尚、本発明は上記の第１の実施の形態に限定されるものではない。まず、充填材１５の種類については、発泡樹脂に限定するものではない。例えば、石膏を使用することもできる。石膏を使用する場合は、石膏を水で溶いた石膏液を用意し、これをＲ巾木本体部３と壁面部Ｗ及び床面部Ｆとの間に注入して充填させる。後は自然に固化させて充填材の充填を完了する。この場合にも、Ｒ巾木本体部と壁面部及び床面部との間がその形状に合わせて隙間なく充填材で覆われるので、たとえシール材が劣化してもＲ巾木と壁面部及び床面部の間に水や食品等の飛散物が入り込むおそれがない。石膏は固化した後は、吸湿性を有するから、水などが侵入した場合にこれを吸収して、カビなどの発生を防止する。よって、水産製造施設等において、室内を衛生上好ましい状態に長期にわたり維持することができる。また、充填材の種類としては、液状で注入でき注入後固化するものであれば良いものであって、例えば各種の樹脂材（合成樹脂，ゴム材等）やモルタル等を使用しても良い。
【００１６】
また、Ｒ巾木本体部を壁面部及び床面部と所定の間隔を隔てて取付ける手段も上記のものに限られない。例えば図５に示すように、Ｒ巾木本体部３の上部に折り返し部５を設け、折り返し部５の下端に延長部２３を設け、延長部に固定ネジ差し込み用の孔２５を設けたものである。壁面部Ｗには断面略Ｌ字状に曲げ加工して製造した長尺材の取付金具２７を木ネジ２９により固定する。延長部２３と取付金具２７には間隔的に充填材の注入口（図示なし）が形成されている。上記Ｒ巾木本体部３の延長部２３とを取付金具２７に固定ネジ３１で固定させる。また、Ｒ巾木本体部３の下部は床面部との間にライナー１３としてのゴム材を介装させる。その他の構成は上記第１の実施の形態の場合と同じであるので、同一部分には同一符号を付してその説明は省略する。この実施の形態の場合も、上記第１の実施の形態と同様の効果を奏することができる。
【００１７】
また、図６に示すように、Ｒ巾木本体部３の上部に断面略Ｌ字状の取付部３３を設け、取付部３３に固定ネジ差し込み用の雌ネジ３５を設けるとともに、木ネジ差し込み用の孔３７を設けたものである。Ｒ巾木本体部３は取付部３３において、木ネジ３９で壁面部Ｗに固定される。取付部３３の上面には断面略Ｌ字状に曲げ加工して製造した長尺材の取付金具４１を取付ける。取付金具４１には固定ネジ差し込み用の孔４３を設け、取付部３３に固定ネジ４５で固定させる。その他の構成は上記第１の実施の形態の場合と同じであるので、同一部分には同一符号を付してその説明は省略する。この実施の形態の場合も、上記第１の実施の形態と同様の効果を奏することができる。
【００１８】
また、図７に示す実施の形態は、Ｒ巾木本体部３の上部に木ネジ差し込み用の孔４７を設けたものである。Ｒ巾木本体部３は、ライナー４９としてのゴム材を介して木ネジ５１で壁面部Ｗに固定される。ライナー４９はＲ巾木本体部３の長手方向に延長形成されていて、間隔的に切欠き（図示なし）を設け、ここを充填材の注入口とする。尚、ライナー４９は、木ネジ５１の取付部のみとしてもよいが、より広い範囲をカバーするように大きく形成しＲ巾木本体部３に接着して形成しても良い。また、Ｒ巾木本体部３の上部はライナー４９より突出形成されていて、ここにシール材１７を塗布する。その他の構成は上記第１の実施の形態の場合と同じであるので、同一部分には同一符号を付してその説明は省略する。この実施の形態の場合も、上記第１の実施の形態と同様の効果を奏することができる。
【図面の簡単な説明】
【００１９】
【図１】本発明の第１の実施の形態を示す図で、Ｒ巾木１の斜視図である。
【図２】本発明の第１の実施の形態を示す図で、Ｒ巾木１の断面図である。
【図３】本発明の第１の実施の形態を示す図で、Ｒ巾木１の平面図である。
【図４】本発明の第１の実施の形態を示す図で、製造工程の説明図でである。
【図５】本発明の第２の実施の形態を示す図で、Ｒ巾木１の断面図である。
【図６】本発明の第３の実施の形態を示す図で、Ｒ巾木１の断面図である。
【図７】本発明の第４の実施の形態を示す図で、Ｒ巾木１の断面図である。
【符号の説明】
【００２０】
１    Ｒ巾木
３    Ｒ巾木本体部
５    折り返し部
１３  ライナー
１５  充填材
Ｗ    壁面部
Ｆ    床面部
【図１】
2006177035.tif 000003
【図２】
2006177035.tif 000004
【図３】
2006177035.tif 000005
【図４】
2006177035.tif 000006
【図５】
2006177035.tif 000007
【図６】
2006177035.tif 000008
【図７】
2006177035.tif 000009